(57)【特許請求の範囲】
【請求項１】
点滴スタンドの支柱に固定される固定部を有する固定ブロックと、
前記固定ブロックに設けられ、前記支柱の軸方向と直交する方向に延在するガイド部材と、
前記ガイド部材に摺動可能に支持されるスライダと、
前記スライダに固定され、前記スライダの摺動方向と直交する方向に延在する連結アームと、
前記連結アームにおける前記スライダと固定される端部と反対側の端部に設けられ、車椅子に着脱可能に連結される連結部材と、
前記固定ブロックに設けられ、前記連結アーム又は前記スライダが当接する回転停止部材と、を備え、
前記スライダは、前記ガイド部材に回動可能に支持される
点滴スタンド連結器具。
【請求項２】
前記固定ブロックは、前記連結アームの軸方向が前記支柱の軸方向と略平行な状態で、前記スライダを保持するストッパ片を有する
請求項１に記載の点滴スタンド連結器具。
【請求項３】
前記連結部材は、
前記連結アームに固定された第１クリップ部材と、
前記第１クリップ部材に回動可能に支持された第２クリップ部材と、
前記第２クリップ部材を前記第１クリップ部材に向けて付勢する付勢部材と、を有する
請求項１又は２に記載の点滴スタンド連結器具。
【請求項４】
前記第２クリップ部材は、
前記車椅子の脚部を前記第１クリップ部材との間にガイドするガイド部と、
前記第１クリップ部材との間に挿入された前記脚部と係止する係止部と、を有する
請求項３に記載の点滴スタンド連結器具。
【発明の詳細な説明】
【技術分野】
【０００１】
本発明は、車椅子と点滴スタンドとを連結する点滴スタンド連結器具に関するものである。
【背景技術】
【０００２】
従来、車椅子に乗った患者が点滴を受けるためには、点滴スタンドを看護士等が把持した状態で、移動していた。また、患者以外に点滴スタンドを把持する人がいない場合は、患者自身が点滴スタンドを把持し、移動しなければならなかった。そして、点滴スタンドを把持しながらの移動は、大変危険を伴うものであった。
【０００３】
近年では、点滴を受けながら車椅子に乗った患者が安全に移動することができるために、車椅子と点滴スタンドとを連結する技術が開示されている（例えば、特許文献１参照）。この特許文献１では、点滴スタンドの固定支柱の下方部又はベース部に回転軸を設け、この回転軸に、車椅子のフットレストに連結されるジョイント金具を備えた技術が記載されている。さらに、特許文献１に記載された技術では、ジョイント金具に、一対のＬ字状の可動左右線材を設け、この可動左右線材により車椅子と連結している。
【先行技術文献】
【特許文献】
【０００４】
【特許文献１】国際公開第２０１２／０７０２６０号
【発明の概要】
【発明が解決しようとする課題】
【０００５】
しかしながら、特許文献１に記載された技術では、車椅子に連結される一対の可動左右線材の間隔が一定の間隔に固定されていた。そのため、１つの点滴スタンド連結器具では、一対の可動左右線材の間隔に応じた車椅子にしか連結することができていなかった。そして、フットレストの間隔が異なる別の車椅子については、その車椅子に対応した点滴スタンド連結器具を別個に用意しなければならない、という問題を有していた。
【０００６】
本発明の目的は、上記の問題点を考慮し、様々な大きさの車椅子にも連結することができる点滴スタンド連結器具を提供することにある。
【課題を解決するための手段】
【０００７】
上記課題を解決し、本発明の目的を達成するため、本発明の点滴スタンド連結器具は、固定ブロックと、ガイド部材と、スライダと、連結アームと、連結部材と、を備えている。固定ブロックは、点滴スタンドの支柱に固定される固定部を有する。ガイド部材は、固定ブロックに設けられ、支柱の軸方向と直交する方向に延在する。スライダは、ガイド部材に摺動可能に支持される。連結アームは、スライダに固定され、スライダの摺動方向と直交する方向に延在する。連結部材は、連結アームにおけるスライダと固定される端部と反対側の端部に設けられ、車椅子に着脱可能に連結される。さらに、固定ブロックに設けられ、連結アーム又はスライダが当接する回転停止部材と、を備え、スライダは、ガイド部材に回動可能に支持される。
【発明の効果】
【０００８】
本発明の点滴スタンド連結器具によれば、様々な大きさの車椅子にも点滴スタンドを連結することができる。
【図面の簡単な説明】
【０００９】
【図１】本発明の実施の形態例にかかる点滴スタンド連結器具を示す斜視図である。
【図２】本発明の実施の形態例にかかる点滴スタンド連結器具の固定ブロックを示す斜視図である。
【図３】本発明の実施の形態例にかかる点滴スタンド連結器具のスライダを示す斜視図である。
【図４】本発明の実施の形態例にかかる点滴スタンド連結器具の連結部材を示す斜視図である。
【図５】本発明の実施の形態例にかかる点滴スタンド連結器具を用いて車椅子と点滴スタンドとを連結した状態を示す斜視図である。
【図６】本発明の実施の形態例にかかる点滴スタンド連結器具における車椅子との連結状態の要部を示す斜視図である。
【図７】本発明の実施の形態例にかかる点滴スタンド連結器具における連結部材と車椅子との連結状態を示す説明図である。
【図８】本発明の実施の形態例にかかる点滴スタンド連結器具と車椅子とを連結しない状態を示す斜視図である。
【発明を実施するための形態】
【００１０】
以下、本発明の点滴スタンド連結器具の実施の形態例について、図１〜図８を参照して説明する。なお、各図において共通の部材には、同一の符号を付している。
【００１１】
１．点滴スタンド連結器具の構成
まず、本発明の実施の形態例（以下、「本例」という。）にかかる点滴スタンド連結器具の構成について、図１を参照して説明する。
図１は、本例の点滴スタンド連結器具を示す斜視図である。
【００１２】
図１に示す点滴スタンド連結器具（以下、単に「連結器具」という）１は、点滴スタンド２００と、車椅子１００とを連結する器具である（図５参照）。図１に示すように、本例の連結器具１は、固定ブロック２と、略棒状のガイド部材３と、２つの連結アーム４，４と、を備えている。また、連結器具１は、回転停止部材５と、２つのスライダ６，６と、連結部材７と、を備えている。
【００１３】
図２は、固定ブロックを示す斜視図である。
図２に示すように、固定ブロック２には、第１固定孔１１と、第２固定孔１２が設けられている。第１固定孔１１には、ガイド部材３が貫通しており、第２固定孔１２には、回転停止部材５が貫通している。
【００１４】
そして、図１に示すように、ガイド部材３の軸方向の略中央部に、固定ブロック２が設けられる。同様に、回転停止部材５の軸方向の略中央部に、固定ブロック２が設けられる。このとき、ガイド部材３と、回転停止部材５は、その軸方向が互いに平行になるようにして、固定ブロック２に固定される。
【００１５】
また、図２に示すように、固定ブロック２における第１固定孔１１及び第２固定孔１２が設けられた側と反対側には、固定部１３が設けられている。固定部１３は、一対の固定片１３ａ，１３ｂと、固定部材１４と、を有している。一対の固定片１３ａ，１３ｂは、第１固定孔１１を貫通するガイド部材３の軸方向に沿って所定の間隔を開けて配置されている。一対の固定片１３ａ，１３ｂは、ガイド部材３の軸方向と直交する方向に向けて突出している。
【００１６】
さらに、一対の固定片１３ａ，１３ｂのうちガイド部材３の軸方向の一側に配置された固定片１３ｂには、固定部材１４のねじ部１４ａが貫通している。一対の固定片１３ａ，１３ｂの間には、点滴スタンド２００の支柱２０１が配置される（図６及び図７参照）。そして、固定部材１４を締め付けることで、点滴スタンド２００の支柱２０１が固定部１３に固定される。このとき、ガイド部材３の軸方向は、固定ブロック２に固定された点滴スタンド２００の支柱２０１の軸方向と直交する。
【００１７】
ガイド部材３には、固定ブロック２を間に挟んで２つのスライダ６，６が取り付けられている。２つのスライダ６，６は、左右対称の形状として構成されている。そのため、ここでは、ガイド部材３の軸方向の一側に配置されるスライダ６について説明する。
【００１８】
図３は、スライダ６を示す斜視図である。
図３に示すように、スライダ６は、当接部６ａと、リブ片６ｂとを有している。スライダ６における当接部６ａと反対側の端部には、連結アーム４が固定される。当接部６ａと、連結アーム４が固定される端部との間には、リブ片６ｂが形成されている。さらに、リブ片６ｂの近傍には、挿通孔６ｃが設けられている。
【００１９】
図１に示すように、挿通孔６ｃには、ガイド部材３が挿通する。これにより、スライダ６は、ガイド部材３の軸方向に沿って摺動する。さらに、スライダ６は、ガイド部材３に回動可能に支持される。
【００２０】
また、ガイド部材３及び回転停止部材５の軸方向の両端部には、抜け止め部材２１が設けられている。抜け止め部材２１は、ガイド部材３及び回転停止部材５の軸方向の両端部が広がることを防いでいる。さらに、抜け止め部材２１は、ガイド部材３からスライダ６が抜け落ちることも防いでいる。
【００２１】
連結アーム４は、棒状の部材で形成されている。連結アーム４における軸方向の一端部には、スライダ６が固定されている。スライダ６をガイド部材３に取り付けた際、連結アーム４の軸方向は、ガイド部材３の軸方向と直交する。
【００２２】
また、連結アーム４における軸方向の他端部には、連結部材７が固定されている。２つの連結部材７は、スライダ６と同様に、左右対称の形状に形成されている。そのため、ここでは、ガイド部材３の軸方向の一側に配置される連結部材７について説明する。
【００２３】
図７は、連結部材７を示す斜視図である。
連結部材７は、第１クリップ部材３１と、第２クリップ部材３２と、回動軸３３とを有している。第２クリップ部材３２は、回動軸３３を介して第１クリップ部材３１に回動可能に支持されている。
【００２４】
第１クリップ部材３１は、固定把持部３６と、第１連結片３７とを有している。固定把持部３６には、連結アーム４が固定されている。第１連結片３７は、固定把持部３６における連結アーム４が固定される端部と反対側の端部から連続している。第１連結片３７は、舌片状に形成されている。第１連結片３７と固定把持部３６の間には、回動軸３３が配置される。
【００２５】
第２クリップ部材３２は、第２連結片３８と、レバー部３９と、回動受け部４１とを有している。回動受け部４１は、第２連結片３８とレバー部３９の間に形成されている。回動受け部４１には、回動軸３３が挿通される。
【００２６】
レバー部３９は、第１クリップ部材３１の固定把持部３６に対向して所定の間隔を開けて配置される。第２連結片３８は、第１クリップ部材３１の第１連結片３７に対向して所定の間隔を開けて配置される。レバー部３９を把持して、レバー部３９を固定把持部３６側に近づけることで、第２連結片３８が第１連結片３７から離反する方向に、第２クリップ部材３２は、回動する。
【００２７】
また、連結部材７は、第２クリップ部材３２における第２連結片３８を第１連結片３７に接近させる方向に第２クリップ部材３２を付勢する付勢部材４２を有している。付勢部材４２としては、例えば、ねじりコイルばねや、板ばね等の弾性を有する部材が適用されるものである。
【００２８】
さらに、連結部材７には、第２連結片３８を第１連結片３７に向けて付勢した際に、第２クリップ部材３２を所定の位置で停止させる不図示のストッパが設けられている。そのため、第２連結片３８の先端部と第１連結片３７の先端部の間には、所定の間隔が形成される。
【００２９】
第２連結片３８は、一部が開口したフック状に形成されている。また、第２連結片３８は、傾斜面部３８ａと、ガイド面部３８ｂと、係止部３８ｃとを有している。ガイド面部３８ｂは、第２連結片３８の先端部に形成されている。ガイド面部３８ｂは、略円弧状に形成されている。ガイド面部３８ｂは、連結する車椅子１００の脚部１０３を第１連結片３７と第２連結片３８の間にガイドする（図６参照）。
【００３０】
傾斜面部３８ａは、コの字状の開口の壁面におけるガイド面部３８ｂ側に形成されている。また、傾斜面部３８ａは、回動軸３３の軸方向に対して傾斜して形成されている。
【００３１】
係止部３８ｃは、第２連結片３８におけるコの字状の開口によって構成されている。係止部３８ｃには、第１連結片３７及び第２連結片３８の間に介在された、車椅子１００の脚部１０３が係止される（図６参照）。
【００３２】
２．車椅子の連結方法
次に、図５〜図７を参照して上述した構成を有する連結器具１を用いた、点滴スタンド２００と車椅子１００との連結方法の一例について説明する。
図５は、車椅子１００と点滴スタンド２００とを連結した状態を示す斜視図、図６は、連結した状態の要部を示す斜視図である。
【００３３】
図５に示すように、予め、連結器具１は、点滴スタンド２００に固定される。連結器具１の固定方法としては、例えば、次のようにして行われる。まず、点滴スタンド２００の支柱２０１を、固定ブロック２に設けた一対の固定片１３ａ，１３ｂの間に挿入する。次に、固定部材１４を締め付けることで、点滴スタンド２００の支柱２０１が固定部１３に固定される。
【００３４】
このとき、支柱２０１における移動用脚部２０２の近傍に、連結器具１を固定することが好ましい。これにより、連結器具１のガイド部材３を移動用脚部２０２に近づけることができ、ガイド部材３が他の患者や、医療器具、点滴用のチューブ等に引っ掛かることを抑制することができる。さらに、点滴スタンド２００と車椅子１００とを連結して移動する際に、点滴スタンド２００に加わる荷重を、移動用脚部２０２の近傍にすることができる。これにより、移動する際に、点滴スタンド２００がバランスを崩して倒れることを防ぐことができる。
【００３５】
次に、２つのスライダ６，６をガイド部材３に沿って摺動させて、２つの連結アーム４，４の間隔を、連結する車椅子１００におけるフットレスト１０１の近傍に設けられた脚部１０３の間隔に合わせる。これにより、様々な大きさの車椅子に対しても、１つの連結器具１を用いて点滴スタンド２００を連結させることができる。また、連結する箇所を、フットレスト１０１ではなく、フットレスト１０１の外側に配置される脚部１０３にすることで、連結器具１が患者の足に当たることを防ぐことができる。
【００３６】
次に、２つのスライダ６，６を回動させて２つの連結アーム４，４を車椅子１００側に向ける。このとき、スライダ６に設けたリブ片６ｂ（図３参照）が、回転停止部材５に当接する。そのため、スライダ６の回動が停止される。これにより、スライダ６が必要以上に回動して、連結アーム４の先端部に設けられる連結部材７が地面に付着することを防ぐことができ、連結部材７が汚れることを抑制することができる。
【００３７】
なお、２つの連結アーム４，４を車椅子１００側に向けてから、２つの連結アーム４，４の間隔を調整してもよい
【００３８】
次に、図６に示すように、連結部材７における第１クリップ部材３１と第２クリップ部材３２の間、具体的には、第１連結片３７と第２連結片３８の間に、車椅子１００の脚部１０３を挿入する。
【００３９】
ここで、第１連結片３７と第２連結片３８の先端部の間には、所定の間隔が形成されており、第２連結片３８の先端部には、ガイド面部３８ｂが形成されている。これにより、脚部１０３をガイド面部３８ｂに押し付けることで、第２クリップ部材３２が付勢部材４２の付勢力に抗して回動し、第２連結片３８が第１連結片３７から離反する。さらに、ガイド面部３８ｂによって脚部１０３が、第１連結片３７と第２連結片３８の間までガイドされる。
【００４０】
そして、脚部１０３が第１連結片３７と第２連結片３８の間まで挿入されると、第２クリップ部材３２は、付勢部材４２により付勢されて、回動する。そのため、第２連結片３８が第１連結片３７に接近する。
【００４１】
これにより、患者又は看護士等の使用者が、レバー部３９を把持して、第２クリップ部材３２を回動させることなく、連結部材７と車椅子１００の脚部１０３とを連結させることができる。その結果、車椅子１００と点滴スタンド２００の連結作業を容易に行うことができる。
【００４２】
一般的に、車椅子１００の脚部１０３は、鉛直方向に対して傾斜している。さらに、図５に示すように、連結器具１は、点滴スタンド２００における支柱２０１の下部に固定されている。そのため、連結アーム４及び連結部材７は、水平方向に対して傾斜した状態で、車椅子１００の脚部１０３に連結される。
【００４３】
これに対して、本例の連結器具１では、第２連結片３８に傾斜面部３８ａを設けている。これにより、図６に示すように、連結部材７と脚部１０３が連結した際に生じるがたつきを抑制することができる。
【００４４】
図７Ａ〜図７Ｃは、連結部材７と脚部１０３との連結状態を示す説明図である。
図７Ａに示すように、脚部１０３が、第１連結片３７と第２連結片３８の間から抜け出る方向に力が加わると、図７Ｂに示すように、脚部１０３は、第２連結片３８の係止部３８ｃに当接する。すなわち、脚部１０３が係止部３８ｃに係止される。
【００４５】
また、図７Ｂに示す状態から、さらに強い力で脚部１０３が係止部３８ｃに当接すると、図７Ｃに示すように、脚部１０３と共に第２クリップ部材３２が回動する。しかしながら、第２クリップ部材３２のレバー部３９が第１クリップ部材３１の固定把持部３６に当接する。これにより、第２クリップ部材３２の回動が停止される。
【００４６】
このとき、第１連結片３７の先端部と、第２連結片３８の先端部の間には、脚部１０３が通過可能な隙間Ｍが形成される。しかしながら、脚部１０３が隙間Ｍの間に通過するためには、一度、脚部１０３を係止部３８ｃから離反させる必要がある。その場合、第２クリップ部材３２は、付勢部材４２（図４参照）に付勢されて、第２連結片３８が第１連結片３７に接近する方向に回動する。したがって、脚部１０３が再び第１連結片３７及び第２連結片３８の間に配置され、脚部１０３と連結部材７とが連結される。
【００４７】
これにより、車椅子１００及び点滴スタンド２００が移動する際に生じる振動等により、使用者の意図に反して、連結部材７と脚部１０３との連結が外れることを防ぐことができる。その結果、車椅子１００及び点滴スタンド２００を安全に移動させることができる。
【００４８】
また、連結部材７と脚部１０３との連結状態を解除するためには、患者又は看護士等の使用者が、レバー部３９を操作して、第２クリップ部材３２を回動させ、第２連結片３８の先端部を第１連結片３７の先端部から離反させる。そして、レバー部３９を把持した状態で、脚部１０３を第１連結片３７と第２連結片３８の間から引き抜く。これにより、連結部材７と脚部１０３の連結状態を解除することができ、車椅子１００と点滴スタンド２００の連結状態が解除される。
【００４９】
３．連結器具１の収納方法
次に、上述した構成を有する連結器具１の収納方法について、図８を参照して説明する。
図８は、連結器具１と車椅子１００とを連結しない状態を示す斜視図である。
【００５０】
図８に示すように、点滴スタンド２００と車椅子１００を連結しない場合では、まず、２つのスライダ６，６をガイド部材３に沿って摺動させて、固定ブロック２に接近させる。
【００５１】
次に、連結部材７が鉛直方向の上方を向くようにして、スライダ６を回動させる。そして、スライダ６は、固定ブロック２に設けたストッパ片１６に当接する。さらに、スライダ６の当接部６ａが回転停止部材５に当接する。これにより、スライダ６は、固定ブロック２と回転停止部材５により、所定の角度位置で保持される。
【００５２】
また、２つの連結アーム４，４は、点滴スタンド２００の支柱２０１の近傍に配置される。そして、２つの連結アーム４，４の軸方向が支柱２０１の軸方向と略平行となるように、連結器具１を収納することができる。
【００５３】
これにより、２つの連結アーム４，４が点滴スタンド２００から突出しないため、連結アーム４や連結部材７に、他の患者や、医療器具、点滴用のチューブ等に引っ掛かることを防ぐことができる。
【００５４】
なお、本発明は上述しかつ図面に示した実施の形態に限定されるものではなく、特許請求の範囲に記載した発明の要旨を逸脱しない範囲内で種々の変形実施が可能である。上述した実施の形態例では、スライダ６が当接する回転停止部材５を設けてスライダ６の回動を規制する例を説明したが、これに限定されるものではなく、回転停止部材５を設けなくても本発明の目的は達成できるものである。
【００５５】
さらに、連結アーム４をその軸方向に沿って伸縮可能に構成させてもよい。これにより、点滴スタンドと車椅子との間隔を調整することが可能となる。
【符号の説明】
【００５６】
１…連結器具、  ２…固定ブロック、  ３…ガイド部材、  ４…連結アーム、  ５…回転停止部材、  ６…スライダ、  ６ａ…当接部、  ６ｂ…リブ片、  ６ｃ…挿通孔、  ７…連結部材、  １３…固定部、  １３ａ，１３ｂ…固定片、  １４…固定部材、  １６…ストッパ片、  ３１…第１クリップ部材、  ３２…第２クリップ部材、  ３３…回動軸、  ３５…固定把持部、  ３７…第１連結片、  ３８…第２連結片、  ３８ａ…傾斜面部、  ３８ｂ…ガイド面部、  ３８ｃ…係止部、  ３９…レバー部、  ４２…付勢部材、  １００…車椅子、  １０１…フットレスト、  １０３…脚部、  ２００…点滴スタンド、  ２０１…支柱、  ２０２…移動用脚部
【図１】
0006726983.tif 000002
【図２】
0006726983.tif 000003
【図３】
0006726983.tif 000004
【図４】
0006726983.tif 000005
【図５】
0006726983.tif 000006
【図６】
0006726983.tif 000007
【図７】
0006726983.tif 000008
【図８】
0006726983.tif 000009